(57)【要約】  【課題】商品を購入する場合に、商品見本パネルの照明手段の動作を変化させる自動販売機の制御装置を提供することを目的とする。  【解決手段】販売不可判定手段２４の判定に基づき、照度設定手段２２にて、商品展示スペース５の照明を制御することにより、入金等により、販売可能な商品に該当する商品見本パネル４を照明することで明るくし、販売可能でない商品に該当する商品見本パネル４は照明しないことで暗くし、顧客にどの商品が購入できるかをアピールすることができる。【選択図】図２
2009169639.tif 000002
【特許請求の範囲】
【請求項１】
商品内容を表す商品見本パネルと、前記商品見本パネルを後方から照らす照明手段を有する自動販売機において、前記商品見本パネル毎に設けられた前記照明手段の照度を個別または一括して設定できる照度設定手段と、前記照明手段と前記照度設定手段に接続された演算制御部を備え、前記演算制御部は、前記照度個別設定手段により前記照明手段の照度を個別または一括に設定することを特徴とした自動販売機。
【請求項２】
投入金額や釣銭状態や商品状態等などにて販売不可能かを判定する販売不可判定手段を備え、前記演算制御部は、前記販売不可判定手段の判定に基づき、前記照明手段の照度を個別に制御することを特徴とした請求項１に記載の自動販売機。
【請求項３】
現金を投入する前に購入する商品に対応する選択ボタンを押す選択ボタンの先押し操作を判定する先押し判定手段を備え、前記演算制御部は、前記先押し判定手段の判定に基づき、前記照明手段の照度を個別に制御することを特徴とした請求項１または２に記載の自動販売機。
【請求項４】
顧客がいることを検知する人感検知手段を備え、前記演算制御部は、前記人感検知手段にて顧客がいることを検知した場合には、前記照明手段の照度を制御することを特徴とした請求項１から３のいずれか一項に記載の自動販売機。
【請求項５】
時間帯毎に商品見本パネルの照明手段の照度を個別または一括して設定する時間帯照度設定手段を備え、前記演算制御部は、前記時間帯照度設定手段により設定された時間帯に設定された照度にて商品見本パネルの照明手段を制御することを特徴とした請求項１から４のいずれか一項に記載の自動販売機。
【発明の詳細な説明】
【技術分野】
【０００１】
本発明は、自動販売機の外扉の正面に配置する複数種の商品見本パネルを装備して、商品見本パネルの照度を個別に制御でき、状況に応じて照度を制御することができる自動販売機の制御装置に関するものである。
【背景技術】
【０００２】
近年、この種の自動販売機の表示装置は、集客性の向上を図るため、自動販売機を大型化にして、販売品種を増加させ、消費者の購買意欲を増加させることが要求されている。そのため、販売商品を分かり易く表示する方法として、蛍光灯等の照明装置により販売商品の図又は写真を印刷した商品見本パネルを明るく光らせ、より視認性を高め、販売商品の理解を深めるようにしているものがある（例えば、特許文献１参照）。
【０００３】
また、蛍光灯の照度を変化させ、集客性の向上を図ったものが知られている（例えば、特許文献２参照）。
【特許文献１】実開平３−６６４７６号公報
【特許文献２】特開２００１−１１８１２８号公報
【発明の開示】
【発明が解決しようとする課題】
【０００４】
しかしながら、従来の自動販売機は蛍光灯により商品見本パネルを照明しているので、これらを均一して照明しているのには適している一方、設置先によりある部分の照明だけが影になる場合、商品見本パネルの色合いにより他と明るさが変わってしまう場合、発行ダイオードなどの照明手段の劣化や、バラツキが発生した場合などの状況においては商品見本パネルの明るさが均一でない場合には商品見本パネルの見栄えがばらついてしまうという問題があった。
【０００５】
また、顧客が入金等を行って商品を買う場合でも商品見本パネルを照明したままであるため、商品見本パネル近傍にある販売可能ランプや売切れランプ等のランプ表示が見えにくく、また商品見本パネルが変わり映えせず、顧客へのアピールが少ないという課題を有していた。
【０００６】
本発明は、前記従来の課題を解決するもので、省エネルギーを行いながら商品の表示を高めることのできる自動販売機を提供することを目的とする。
【課題を解決するための手段】
【０００７】
前記従来の課題を解決するために、本発明の自動販売機の制御装置は、商品内容を表す商品見本パネルと、前記商品見本パネルを後方から照らす照明手段を有する自動販売機において、前記商品見本パネル毎に設けられた前記照明手段の照度を個別または一括して設定できる照度設定手段と、前記照明手段と前記照度設定手段に接続された演算制御部を備え、前記演算制御部は、前記照度個別設定手段により前記照明手段を個別または一括に照度を設定するとしたものである。
【０００８】
これによって、設置先によりある部分の照明だけが影になる場合、商品見本パネルの色合いにより、他と明るさが変わってしまう場合、発行ダイオードなどの照明手段の劣化や、バラツキが発生した場合などに個別の照度を設定することができ、回避することができる。また、明るく商品見本パネルが見やすい設置先などには前記商品見本パネルの照明の照度を低くし、暗く商品見本パネルが見にくい設置先には前記商品見本パネルの照明の照度を高くし、設置先に合わせた照明手段の照度を任意に設定することができ、無駄な消費電力を削減することができる。
【０００９】
また、本発明の自動販売機の制御装置は、投入金額や釣銭状態や商品状態等などにて販売不可能かを判定する販売不可判定手段を備え、前記演算制御部は、前記販売不可判定手段の判定に基づき、前記照明手段の照度を個別に制御するとしたものである。
【００１０】
これによって、該当商品がないことでの売切れ、賞味期限を過ぎたことによる売切れなどにて販売不可と判定された商品に該当する商品見本パネルの照度を低くすることにより、顧客が購入を行う際に、顧客にどの商品が購入できるかをアピールすることができる。
【００１１】
また、本発明の自動販売機の制御装置は、選択ボタンの先押しを判定する先押し判定手段を備え、前記演算制御部は、前記先押し判定手段の判定に基づき、前記照明手段の照度を個別に制御するとしたものである。
【００１２】
これによって、先押し（現金を入れる前に購入する商品に対応する選択ボタンを押すこと。以下、先押しとする）された商品に該当する前記商品見本パネルの照明の照度を高くすることで、顧客にどの商品が先押しされたかを知らしめることができる。
【００１３】
また、本発明の自動販売機の制御装置は、顧客がいることを検知する人感検知手段を備え、前記演算制御部は、前記人感検知手段にて顧客がいることを検知した場合には、前記照明手段の照度を制御するとしたものである。
【００１４】
これによって、照度が低い設定の場合でも顧客がいる場合には前記商品見本パネルの前記照明手段の照度を高くすることで、顧客が購入する際には商品見本パネルをより見やすくすることができる。
【００１５】
また、本発明の自動販売機の制御装置は、時間帯毎に商品見本パネルの照明手段の照度を個別または一括して設定できる時間帯照度設定手段を備え、前記演算制御部は、前記時間帯照度設定手段により設定された時間帯に設定された照度にて商品見本パネルの照明手段を制御することしたものである。
【００１６】
これによって、昼間などの明るい時間帯などには前記商品見本パネルの前記照明手段の照度を低くし、夜間などの暗い時間帯などには前記商品見本パネルの前記照明手段の照度を高くし、時間帯に合わせた照明手段の照度を任意に設定することができ、無駄な消費電力を削減することができる。
【発明の効果】
【００１７】
本発明の自動販売機の制御装置は、周囲の状況や利用者の自動販売機操作に応じて、商品展示スペースの照明を制御することができるので、販売促進を図ることができる。
【発明を実施するための最良の形態】
【００１８】
第１の発明は、商品内容を表す商品見本パネルと、前記商品見本パネルを後方から照らす照明手段を有する自動販売機において、前記商品見本パネル毎に設けられた前記照明手段の照度を個別または一括して設定できる照度設定手段と、前記照明手段と前記照度設定手段に接続された演算制御部を備え、前記演算制御部は、前記照度個別設定手段により前記照明手段の照度を個別または一括に設定できることにより、設置先によりある部分の照明だけが影になる場合、商品見本パネルの色合いにより、他と明るさが変わってしまう場合、発行ダイオードなどの照明手段の劣化や、バラツキが発生した場合などに個別の照度を設定することができ、回避することができる。また、明るく商品見本パネルが見やすい設置先などには前記商品見本パネルの照明の照度を低くし、暗く商品見本パネルが見にくい設置先には前記商品見本パネルの照明の照度を高くし、設置先に合わせた照明手段の照度を任意に設定することができ、無駄な消費電力を削減することができる。
【００１９】
第２の発明は、特に、第１の発明に、さらに、投入金額や釣銭状態や商品状態等などにて販売不可能かを判定する販売不可判定手段を備え、前記演算制御部は、前記販売不可判定手段の判定に基づき、前記照明手段の照度を個別に制御することにより、該当商品がないことでの売切れ、賞味期限を過ぎたことによる売切れなどにて販売不可と判定された商品に該当する商品見本パネルの照度を低くすることにより、顧客が購入を行う際に、顧客にどの商品が購入できないかを分かりやすくすることができる。
【００２０】
第３の発明は、特に、第１または第２の発明に、さらに、現金を投入する前に購入する商品に対応する選択ボタンを押す選択ボタンの先押し操作を判定する先押し判定手段を備え、前記演算制御部は、前記先押し判定手段の判定に基づき、前記照明手段の照度を個別に制御することにより、先押しされた商品に該当する前記商品見本パネルの前記照明手段の照度を高くすることで、顧客にどの商品が先押しされたかを知らしめることができる。
【００２１】
第４の発明は、特に、第１から第３のいずれか１つの発明に、さらに、顧客がいることを検知する人感検知手段を備え、前記演算制御部は、前記人感検知手段にて顧客がいることを検知した場合には、前記照明手段の照度を制御することにより、照度が低い設定の場合でも顧客がいる場合には前記商品見本パネルの前記照明手段の照度を高くすることで、顧客が購入する際には商品見本パネルをより見やすくすることができる。
【００２２】
第５の発明は、特に、第１から第４のいずれか１つの発明に、さらに、時間帯毎に商品見本パネルの照明手段の照度を個別または一括して設定する時間帯照度設定手段を備え、前記演算制御部は、前記時間帯照度設定手段により設定された時間帯に設定された照度にて商品見本パネルの照明手段の照度にて制御することにより、昼間などの明るい時間帯などには前記商品見本パネルの前記照明手段の照度を低くし、夜間などの暗い時間帯などには前記商品見本パネルの前記照明手段の照度を高くし、時間帯に合わせた照明手段の照度を任意に設定することができ、無駄な消費電力を削減することができる。
【００２３】
以下、本発明の実施の形態について、図面を参照しながら説明する。なお、この実施の形態によってこの発明が限定されるものではない。
【００２４】
（実施の形態１）
図１は、本発明の実施の形態１における自動販売機の外観を示した斜視図である。図２は同実施の形態の自動販売機の制御装置の機能ブロック図である。図３、図４は、同実施の形態の自動販売機の動作を示すフローチャートである。
【００２５】
図１において本発明の実施の形態１の自動販売機１は、本体部２前面にメイン扉部３を有している。メイン扉部３に各商品の外観等が示されている商品見本パネル４と、各商品見本パネル４をセットできる商品展示スペース５と、商品展示スペース５を照明する照明手段６（図示せず）と、販売可能ランプや売切れランプ等の商品関連ランプを内包し、商品を購入する際に押す選択ボタン７と、硬貨等を投入する硬貨投入口８と、投入した金額等を表示する金額表示器９と、選択した商品を取出す商品取出口１０とが設けられている。
【００２６】
図２において、照明手段６は商品内容を表す商品見本パネル４を後方から照らし、各商品見本パネル４に設けられている。尚、照明手段６には発光ダイオードなどが挙げられる。照度設定手段２２は商品見本パネル４の照明手段６の照度を個別または一括に設定できる。照度記憶手段２３は照度設定手段２２により設定された照度を記憶する。販売不可判定手段２４は投入金額や釣銭状態や商品状態等などにて販売不可能かを判定する。先押し判定手段２５は選択ボタン７の先押しを判定する。人感検知手段２６は自動販売機の前に顧客がいることを検知する。時間帯照度設定手段２７は時間帯毎に商品見本パネルの照明手段の照度を個別または一括に設定できる。時間帯照度記憶手段２８は時間帯照度設定手段２７により設定されて照度を記憶する。
【００２７】
演算制御部３０は、照度設定手段２２により照明手段６の照度を個別または一括に設定し、照度記憶手段２３に記憶させる。また、時間帯照度設定手段２７により所定時間および所定時間内での照明手段６の照度を個別または一括に設定し、時間帯照度記憶手段２８に記憶させる。そして、照度記憶手段２３、時間帯照度記憶手段２８に記憶している設定、あるいは販売不可判定手段２４、先押し判定手段２５、人感検知手段２６の判定に応じて、商品見本パネルの照明手段６に対して各々に照度を高く、低くといった制御を行う。照明手段を短い周期で動作と停止を繰り返し、その動作と停止の比率、周期を変化させるなどして照度を変化させる。
【００２８】
以上のように構成された自動販売機の制御装置について、以下その動作を図３、図４のフローチャートをもとにして説明する。なお、このフローチャートは商品見本パネルＮ番に対応した照明手段６のＮ番について示したものである。
【００２９】
まず、演算制御部３０は、照度設定手段２２により個別に設定し、照明手段６のＮ番を照度Ｍに設定し（ＳＴＥＰ１）、照度記憶手段２３に記憶させる（ＳＴＥＰ２）。続いて、時間帯照度設定手段２７により７時から１６時の間の照度をＬに設定し（ＳＴＥＰ３）、時間帯照度記憶手段２８に記憶させる（ＳＴＥＰ４）。
【００３０】
そして、販売不可判定手段２４により商品見本パネルに対応する商品が販売不可かどうかを判定し（ＳＴＥＰ５）、販売不可の場合には照度レベルＨにて照明手段６のＮ番を制御する。販売不可でない場合には、人感検知手段２６により自動販売機の前に顧客がいるかどうかを判定し（ＳＴＥＰ６）、顧客がいる場合には、先押し判定手段２５により商品見本パネルに対応する選択ボタンが押されたかを判定し（ＳＴＥＰ７）、押された場合には照度レベルＳにて照明手段６のＮ番を制御する。押されていない場合には照度レベルＫにて照明手段６のＮ番を制御する。顧客がいない場合には、現在時刻が時間帯照度記憶手段２８により記憶している７時〜１６時の時間帯であるかを判定し（ＳＴＥＰ８）、時間帯である場合には時間帯照度記憶手段２８により記憶している照度レベルＬにて照明手段６のＮ番を制御する。時間帯でない場合には照度記憶手段２３により記憶している照度Ｍにて照明手段６のＮ番を制御する。
【００３１】
以上のように本実施の形態１の自動販売機の制御装置によれば、照度設定手段２２の設定に応じて照明手段６の照度を制御することにより、商品見本パネルが見やすい明るい設置先などには商品見本パネルの照明手段６の照度を低くし、商品見本パネルが見にくい暗い設置先には商品見本パネルの照明手段６の照度を高くし、設置先に合わせた照明手段の照度を任意に設定することができ、無駄な消費電力を削減することができる。
【００３２】
また、販売不可判定手段２４の判定に基づき、照明手段６の照度を個別に制御することにより、該当商品がないことでの売切れ、賞味期限を過ぎたことによる売切れなどにて販売不可と判定された商品に該当する商品見本パネルの照度を低くすることにより、顧客が購入を行う際に、顧客にどの商品が購入できないかをわかりやすくすることができる。
【００３３】
また、先押し判定手段２５の判定に基づき、照明手段６の照度を個別に制御することにより、先押しされた商品に該当する商品見本パネルの照明手段６の照度を高くすることで、顧客にどの商品が先押しされたかを知らしめることができる。
【００３４】
また、人感検知手段２６にて顧客がいることを検知した場合には、照明手段６の照度を制御することにより、照度が低い設定の場合でも顧客がいる場合には商品見本パネルの照明手段６の照度を高くすることで、顧客が購入する際には商品見本パネルをより見やすくすることができる。
【００３５】
また、時間帯照度設定手段２７により設定された時間帯に設定されている照度にて商品見本パネルの照明手段６の照度にて制御することにより、昼間などの明るい時間帯などには商品見本パネルの照明手段６の照度を低くし、夜間などの暗い時間帯などには商品見本パネルの照明手段の照度を高くし、時間帯に合わせた照明手段の照度を任意に設定することができ、無駄な消費電力を削減することができる。
【産業上の利用可能性】
【００３６】
以上のように、本発明にかかる自動販売機は、状況に応じて、商品展示スペースの照明の照度を個別に制御することにより、より自動販売機の販売時の状態が分かり易く、省エネを図ることのできる自動販売機を提供する。
【図面の簡単な説明】
【００３７】
【図１】本発明の実施の形態１における自動販売機の外観を示した斜視図
【図２】同実施の形態の自動販売機の制御装置のブロック図
【図３】同実施の形態の自動販売機の制御装置の動作を示すフローチャート
【図４】同実施の形態の自動販売機の制御装置の動作を示すフローチャート
【符号の説明】
【００３８】
１    自動販売機
２    本体部
３    メイン扉部
４    商品見本パネル
５    商品展示スペース
６    照明手段
７    選択ボタン
８    硬貨投入口
９    金額表示器
１０  商品取出口
２２  照度設定手段
２３  照度記憶手段
２４  販売不可判定手段
２５  先押し判定手段
２６  人感検知手段
２７  時間帯照度設定手段
２８  時間帯照度記憶手段
３０  演算制御部
【図１】
2009169639.tif 000003
【図２】
2009169639.tif 000004
【図３】
2009169639.tif 000005
【図４】
2009169639.tif 000006